(57)【要約】【課題】フック受け部材をケースから殆ど突出せずに良好な外観を確保することができ、プッシュ操作時の異音の発生を防止することができるプッシュラッチ装置を提供することを目的とする。【解決手段】フック部材１２の上面に係止凹部１２ａが形成され、フック受け部材７には係止凹部１２ａに嵌合して係止され係止爪部７３が設けられる。フック受け部材７はプッシュラッチ本体１内で前後に移動可能に配設され、フック受け部材７の後方にスライド部材６が移動可能に配設される。フック部材１２はスライド部材６に対し移動方向と直角方向に摺動可能に連結される。フック部材１２の進入によりフック受け部材７が押し込まれて後方に移動したとき、フック受け部材７が係止爪部７３をフック部材１２の係止凹部１２ａに押し付けて係止される。【選択図】図１
2008261131.tif 000002
【特許請求の範囲】
【請求項１】
プッシュラッチ本体内にフック部材を進入させ、該プッシュラッチ本体内のフック受け部材を押し込むことにより、該フック部材を該フック受け部材に係止させてロックし、当該ロック状態での該フック部材の再押し込みにより、該フック部材のロックを解除するプッシュラッチ装置において、
該フック部材の一部に係止凹部が形成される一方、該フック受け部材には該係止凹部に嵌合して係止され係止爪部が設けられ、該フック受け部材はプッシュラッチ本体内で前後に移動可能に配設されると共に、該プッシュラッチ本体内の該フック受け部材の後方にスライド部材が移動可能に配設され、該フック部材は該スライド部材に対し該移動方向と直角方向に摺動可能に連結され、ばね部材により該スライド部材が前方に付勢され、該フック部材の進入により該フック受け部材が押し込まれて後方に移動したとき、該フック受け部材が該係止爪部を該フック部材の係止凹部に押し付ける方向に移動することを特徴とするプッシュラッチ装置。
【請求項２】
前記プッシュラッチ本体内の両側にガイド溝が形成され、前記フック受け部材の両側に該ガイド溝に係合可能なガイドピンが突設され、該フック受け部材が押し込まれて後方に移動したとき、該フック受け部材が該係止爪部を該フック部材の係止凹部に押し付ける方向に移動するように該ガイド溝が曲げられて形成されたことを特徴とする請求項１記載のプッシュラッチ装置。
【請求項３】
プッシュラッチ本体内にフック部材を進入させ、該プッシュラッチ本体内のフック受け部材を押し込むことにより、該フック部材を該フック受け部材に係止させてロックし、当該ロック状態での該フック部材の再押し込みにより、該フック部材のロックを解除するプッシュラッチ装置において、
該プッシュラッチ本体内の該フック受け部材の後方にスライド部材が移動可能に配設され、該フック部材の該プッシュラッチ本体内への押し込み時に、該フック部材が該フック受け部材に係止されたとき、該スライド部材をロックし、当該ロック状態での該フック部材の再押し込みにより、該スライド部材のロックを解除するロック機構が設けられ、該ロック機構は、該プッシュラッチ本体内または該プッシュラッチ本体の蓋体の内側に合成樹脂製の円板係合部材が回転可能に軸支され、該円板係合部材には該円板係合部材の軸から偏倚した位置に係合ピンが突設され、該係合ピンが係合する環状ガイド溝が上記スライド部材の一部に形成され、該環状ガイド溝には該スライド部材をロックしたときに係合ピンが保持されるロック保持部が設けられ、且つ該スライド部材のロックを開放して該スライド部材が前進したときに該係合ピンが保持される開放保持部が該環状ガイド溝に設けられたことを特徴とするプッシュラッチ装置。
【請求項４】
前記プッシュラッチ本体内またはプッシュラッチ本体の蓋体の内側に前記円板係合部材が挿入可能な円形凹部が形成されると共に軸孔が形成され、前記円板係合部材がその軸を該軸孔に挿入すると共に、該円形凹部内に回転可能に挿入されたことを特徴とする請求項３記載のプッシュラッチ装置。
【発明の詳細な説明】
【技術分野】
【０００１】
本発明は、家具の扉などに使用されるプッシュラッチ装置に関し、特に本体ケースから正面に突出するフック受け部材の突出し長を少なくし、異音の発生を防止することができるプッシュラッチ装置に関する。
【背景技術】
【０００２】
家具などの扉を閉じた状態でロックし、ロック状態で扉を押すと、ロックが解除されて扉が開放するように動作するプッシュラッチが、従来、下記特許文献１などで知られている。この種のプッシュラッチは、通常、扉の自由端の内側にフック部が筐体側に向けて取り付けられ、本体ケースが筐体の開口面内側に、正面を向けて取り付けられ、本体ケースの前部には、恰も昆虫の鋏のような１対の保持アームが正面に大きく開くように突出している。
【０００３】
このため、特に扉を開放した状態において、本体ケースから大きく突き出す１対の保持アームが非常に目立ち、本体ケースの見栄えが悪く、それに伴い、家具などの外観も悪化するという課題があった。
【特許文献１】特開平７−３４７４６号公報
【発明の開示】
【発明が解決しようとする課題】
【０００４】
さらに、この種の従来のプッシュラッチは、本体ケース内にばね性金属線材からなるレバー部材が内蔵され、このレバー部材の先端がばね弾性をもってハート形の溝内を摺動して、扉の開放動作とロック動作が行なわれる。このため、扉のフック部をプッシュする毎に、溝内の保持位置にレバー部材の先端が嵌まり込むことにより、そのプッシュ操作のたびに、カチカチという異音が比較的大きく発生するという課題があった。
【０００５】
本発明は、上述の課題を解決するものであり、フック受け部材をケースから殆ど突出せずに良好な外観を確保することができるプッシュラッチ装置を提供することを目的とする。さらに、本発明は、プッシュ操作時の異音の発生を防止することができるプッシュラッチ装置を提供することを目的とする。
【課題を解決するための手段】
【０００６】
本発明の第１の発明に係るプッシュラッチ装置は、プッシュラッチ本体内にフック部材を進入させ、該プッシュラッチ本体内のフック受け部材を押し込むことにより、該フック部材を該フック受け部材に係止させてロックし、当該ロック状態での該フック部材の再押し込みにより、該フック部材のロックを解除するプッシュラッチ装置において、該フック部材の一部に係止凹部が形成される一方、該フック受け部材には該係止凹部に嵌合して係止され係止爪部が設けられ、該フック受け部材はプッシュラッチ本体内で前後に移動可能に配設されると共に、該プッシュラッチ本体内の該フック受け部材の後方にスライド部材が移動可能に配設され、該フック部材は該スライド部材に対し該移動方向と直角方向に摺動可能に連結され、ばね部材により該スライド部材が前方に付勢され、該フック部材の進入により該フック受け部材が押し込まれて後方に移動したとき、該フック受け部材が該係止爪部を該フック部材の係止凹部に押し付ける方向に移動することを特徴とする。
【０００７】
ここで、上記のプッシュラッチ装置では、上記プッシュラッチ本体内の両側にガイド溝を形成し、上記フック受け部材の両側に該ガイド溝に係合可能なガイドピンを突設し、該フック受け部材が押し込まれて後方に移動したとき、該フック受け部材が該係止爪部を該フック部材の係止凹部に押し付ける方向に移動するように、該ガイド溝を曲げて形成することができる。
【０００８】
また、第２発明のプッシュラッチ装置は、プッシュラッチ本体内にフック部材を進入させ、該プッシュラッチ本体内のフック受け部材を押し込むことにより、該フック部材を該フック受け部材に係止させてロックし、当該ロック状態での該フック部材の再押し込みにより、該フック部材のロックを解除するプッシュラッチ装置において、該プッシュラッチ本体内の該フック受け部材の後方にスライド部材が移動可能に配設され、該フック部材の該プッシュラッチ本体内への押し込み時に、該フック部材が該フック受け部材に係止されたとき、該スライド部材をロックし、当該ロック状態での該フック部材の再押し込みにより、該スライド部材のロックを解除するロック機構が設けられ、該ロック機構は、該プッシュラッチ本体内またはその蓋体の内側に合成樹脂製の円板係合部材が回転可能に軸支され、該円板係合部材には該円板係合部材の軸から偏倚した位置に係合ピンが突設され、該係合ピンが係合する環状ガイド溝が上記スライド部材の一部に形成され、該環状ガイド溝には該スライド部材をロックしたときに係合ピンが保持されるロック保持部が設けられ、且つ該スライド部材のロックを開放して該スライド部材が前進したときに該係合ピンが保持される開放保持部が設けられたことを特徴とする。
【０００９】
ここで、上記プッシュラッチ装置においては、上記プッシュラッチ本体内またはプッシュラッチ本体の蓋体の内側に、上記円板係合部材が挿入可能な円形凹部を形成すると共に軸孔を形成し、円板係合部材の軸を該軸孔に挿入すると共に、該円形凹部内に円板係合部材を回転可能に挿入するように構成することができる。
【発明の効果】
【００１０】
本願の第１発明のプッシュラッチ装置によれば、フック部材の進入によりフック受け部材が押し込まれて後方に移動したとき、フック受け部材がその係止爪部をフック部材の係止凹部に押し付ける方向に移動し、フック部材がフック受け部材に係止されてロックされるから、従来の装置のように、１対の保持アームを本体の正面に開くように突出させておく必要が無く、プッシュラッチ本体内にフック受け部材を待機させた状態で、フック部材を本体内に進入させてロックさせることができ、フック受け部材をケースから殆ど突出せずにプッシュラッチ装置の見栄えを良くし、家具などの外観も良好に保持することができる。
【００１１】
また、第２発明のプッシュラッチ装置によれば、ロックする際のプッシュ操作時、合成樹脂製の円板係合部材の係合ピンがスライド部材の環状ガイド溝のロック保持部に保持されてスライド部材及びフック受け部材がロックされ、ロック解除する際のプッシュ操作時においても、当該円板係合部材の係合ピンがスライド部材の環状ガイド溝の開放保持部に保持されてフック受け部材が開放されるから、ばね性金属線材からなるレバー部材の先端を、ばね弾性をもってハート形の溝内に係合させた従来のプッシュラッチ装置と比べ、プッシュ操作時のカチカチという異音を殆どなくすことができ、静かに違和感なく快適に使用することができる。
【発明を実施するための最良の形態】
【００１２】
以下、本発明の一実施形態を図面に基づいて説明する。図１はプッシュラッチ装置の斜視図を示し、図２はそのプッシュラッチ本体１の分解側面図を示し、図３はその分解平面図を示している。プッシュラッチ本体１の本体ケース２は、略直方体形状の箱型に形成され、その正面には矩形の正面開口部２２が形成され、さらに、その底面に底面開口部が形成される。正面開口部２２には扉側のフック部材１２がラッチ可能に進入し、底面開口部は、各部材をケース内に組み付けた状態で、蓋体５によって閉鎖される。
【００１３】
なお、本体ケース２は、その取付面が底面となり、家具などの被取付面（キャビネットなどの上面、下面、側面などの各種の面）に、各種の姿勢で取り付けられるが、上下関係については便宜上、プッシュラッチ装置の底部を下に、本体ケース２の反底面側を上にして説明する。
【００１４】
本体ケース２の両側部には、取付孔（長孔）を設けた取付部２１が両側に突き出すように突設され、取付ねじをこの取付孔に挿通し、被取付面にねじ込んで本体ケース２を固定する。取付部２１には側壁に添ってリブ２３が立設され、取付部２１を補強している。本体ケース２の内部には、末端の壁部に、ばね部材（圧縮コイルばね）９の端部を保持するためのばね保持部が設けられ、ケース内側壁には１対の板状のガイド溝部材３，４を組み付けるために、組み付け凹部が形成されている。
【００１５】
１対のガイド溝部材３，４は、図５に示すように、長方形の板状部材に形成され、各々の部材の一面には、２本のガイド溝３１，３２、ガイド溝４１，４２が各々並行に形成されている。これらのガイド溝３１，３２，４１，４２は、正面開口部２２に近い前部から水平に奥に向かって延設されており、中間部付近から底部側に徐々に曲げられ、ガイド溝３１，３２，４１，４２の後部奥側の末端部は、前面側より一段下側（底部側）に位置するように形成されている。ガイド溝部材３，４は、本体ケース２内の両側壁部に取着され、両側壁部にガイド溝３１，３２，４１，４２を各々向かい合わせるように組み付けられる。これらのガイド溝３１，３２，４１，４２には、後述のフック受け部材７の両側部に突設される２対のガイドピン７１，７２が、摺動可能に嵌め込まれる。
【００１６】
フック受け部材７は、ガイド溝３１，３２，４１，４２にガイドされながら本体ケース２内を前後に摺動し、前方正面側に移動したとき、扉側のフック部材１２の係止を解除し、後部奥側に移動したとき、フック受け部材７に扉側のフック部材１２が保持係止されるように構成される。フック受け部材７の係止爪部７３は、その下側部分をフック部材１２の係止凹部１２ａに係止させるように、下側に突起が突設されている。
【００１７】
このため、本体ケース２内の両側壁に装着されるガイド溝部材３，４の２対のガイド溝３１，３２，４１，４２には、その正面側に位置する前部近傍に、フック受け部材７を反底部側に移動させるための、係止解除用溝部が、反底部側つまり上面側に位置して形成される。一方、その後部奥側に位置する奥部近傍には、フック受け部材７を底部側に移動させるように、係止用溝部が底部側に位置して形成される。
【００１８】
本体ケース２内には、スライド部材６とフック受け部材７が、スライド部材６を奥に、フック受け部材７を前部に連結した状態で、共に前後方向に摺動可能に収容される。スライド部材６は、図８に示すように、本体ケース２内に収容され、前後方向につまり図１２の左右方向に摺動可能に、略直方体形状に形成され、その底面には、略ハート状の環状ガイド溝６１が形成され、その後面から内部にかけて、ばね部材９を収容するためのばね収容部６２が形成される。また、スライド部材６の前部（正面側）には、フック受け部材７と係合連結するためのアリ溝６３が形成されている。このアリ溝６３には後述のフック受け部材７の嵌合部７４が上下方向に、つまりフック受け部材７の前後移動方向と直角方向に摺動可能に嵌合され連結される。
【００１９】
略ハート形の環状ガイド溝６１には、図１４のように、円板係合部材８の係合ピン８１が係合する。そして、フック受け部材７が扉側のフック部材１２によって後方に押し込まれたとき、スライド部材６が奥に摺動してフック受け部材７をフック係止位置で停止させるように、係合ピン８１を環状ガイド溝６１が保持し、次に押し込まれたときには、その保持状態を解除して、フック解除位置までスライド部材６とフック受け部材７を摺動可能とするように構成される。
【００２０】
このために、ハート状の環状ガイド溝６１には、図１４に示すように、係合ピン８１を開放位置に保持する開放保持部６１ａとロック位置に保持するロック保持部６１ｂが設けられる。環状ガイド溝６１の開放保持部６１ａは、フック受け部材７が最前部に押し出された開放位置で係合ピン８１を保持してスライド部材６を停止させるように形成される。また、ロック保持部６１ｂは、フック受け部材７が本体ケース２内の奥に押し込まれてフック部材１２がロックされたとき、スライド部材６をそのロック位置で保持するように、環状ガイド溝６１に形成されている。
【００２１】
また、スライド部材６の前部には、扉側のフック部材１２を受けて係止させるフック受け部材７が連結される。フック受け部材７は、図１２に示すように、本体ケース２内に収容されて前後方向に摺動可能に形成され、その前部には係止爪部７３が前方に向けて形成され、扉側のフック部材１２が押し込まれたとき、係止爪部７３がそのフック部材１２を受けて係止する構造である。
【００２２】
フック部材１２には、図１に示すように、その先端部近傍の上面に係止凹部１２ａが形成され、その係止凹部１２ａに係止爪部７３が嵌合して係止される。つまり、係止爪部７３はその下側にフック部材１２を係止させるように、下側に係止用の膨出部を設けて形成される。そして、本体ケース２内の前部の開口部に近い位置で、フック部材１２を受け入れ、フック受け部材７が後方に移動しながら下降したとき、フック部材１２がフック受け部材７の係止爪部７３に係止される構造となっている。フック受け部材７の両側に、２対のガイドピン７１，７２が突設され、これらを本体ケース２の両側壁部に位置するガイド溝３１，３２，４１，４２内に摺動自在に嵌入し、これらのガイド溝とガイドピンによってフック受け部材７のフック受け動作が付与される。
【００２３】
このために、フック受け部材７の後部にアリほぞ形の嵌合部７４が形成され、この嵌合部７４は、上記スライド部材６のアリ溝６３に対し、上下に摺動可能に連結される。つまり、この嵌合部７４はアリ溝６３に緩く嵌合し、フック受け部材７とスライド部材６が前後に移動する間、フック受け部材７は、ガイドピン７１，７２とガイド溝３１，３２，４１，４２の作用により、上下に摺動する構造となっている。これにより、フック受け部材７とスライド部材６が前部に位置するとき、フック受け部材７は、本体ケース２内の上方に位置し、後部に押し込まれたときにケース内を下降して、扉側のフック部材１２に当接嵌合し、これを係止することができる。
【００２４】
上記フック受け部材７とスライド部材６を本体ケース２内に組み付ける場合、図２，３に示すように、先ず、フック受け部材７とスライド部材６をそのアリ溝６３に嵌合部７４を上又は下から嵌め込み、ばね部材９をスライド部材６のばね収容部６２内に装着した状態で、スライド部材６とフック受け部材７を本体ケース２内にその正面開口部２２から挿入する。このとき、ばね部材９の末端部は本体ケース２内の後部中央の保持部に嵌めこみ、フック受け部材７の両側に突出した２対のガイドピン７１，７２を、本体ケース２内の両側壁部のガイド溝３１，３２，４１，４２に嵌入させる。
【００２５】
そして、本体ケース２の底部の開口部に、円板係合部材８を取り付けた蓋体５を被せるように嵌着する。このとき、円板係合部材８の係合ピン８１はスライド部材６の底面の環状ガイド溝６１に嵌め込むように、蓋体５は装着される。蓋体５は、図６に示すように、略長方形の板状に形成され、その後部側の上面に円形凹部５１が形成され、その円形凹部５１内に円板係合部材８が回動自在に嵌め込まれる。このとき、円板係合部材８の下面に突設された軸８２は、円形凹部５１の中央に設けた軸孔に嵌入される。
【００２６】
また、蓋体５の前部の上面には、押し上げ部５２が上方に円弧状に突き出して形成される。蓋体５は、本体ケース２の底部の開口部を閉じるように嵌着されるが、このとき、円弧状に上方に突出した押し上げ部５２は、図１２に示すように、フック受け部材７の真下に位置する。これにより、扉側のフック部材１２が正面開口部２２からフック受け部材７の下側に進入したとき、フック部材１２はこの押し上げ部５２により上方に押し上げられ、フック受け部材７の係止爪部７３とフック部材１２との係止を確実に保持することができる。
【００２７】
一方、扉側に取り付けられるフック部１０は、図１０に示すように、フック取付部１１に、フック部材１２を僅かな調整範囲ではあるが、上下動可能に取り付けられる。フック取付部１１は板状に形成されると共に、中央に矩形の開口部１４が形成され、その開口部１４にフック部材１２のフランジ１５が上下動可能に嵌合される。
【００２８】
フック取付部１１の中央開口部の両側には、取付ねじを挿入するための取付孔１３が長孔として形成される。フック部材１２は、先端の上面に係止凹部１２ａを上向きに設けて形成され、その元部には溝１６を介して矩形板状のフランジ１５が設けられている。
【００２９】
一方、フック取付部１１の開口部１４にはその内側に沿って、厚さの薄い縁部が形成され、フック部材１２の元部の溝１６にその開口部１４の縁部を嵌合させ、これによって、フック部材１２をフック取付部１１に対し上下に僅かな範囲で移動可能としている。また、フック部材１２のフランジ１５は、装着時にフック取付部１１の開口部１４内に入り、フランジ１５の背面はフック取付部１１の取付面と略一致するように形成されている。これにより、フック部１０を扉の内側に取り付ける際、その仮止め時に、フック部材１２の上下位置を最良な状態に調整可能となっている。また、上記のように構成されたプッシュラッチ本体１及びフック部１０の各部材は、ばね部材９を除き、例えばポリアセタール樹脂などの合成樹脂により、型成形されて製造される。
【００３０】
次に、上記構成のプッシュラッチ装置の動作を説明する。上記構成のプッシュラッチ本体１は、図１２に示すように、例えば家具のキャビネットなどの底板、上板、側板などの被取付面９０に固定され、フック部１０はキャビネット用扉の内側の被取付面９１に固定されて使用される。プッシュラッチ本体１は被取付面９０の正面前部位置に、その正面開口部２２が位置するように、本体ケース２の両側の取付部２１に取付ねじを挿入し、被取付面９０にねじ込み固定される。
【００３１】
一方、フック部１０を、対応する扉などの被取付面９１に取り付ける場合、取付ねじを取付孔１３に挿入してフック取付部１１とフック部材１２を固定するが、先ず取付ねじを緩く仮止めし、フック部材１２が若干上下に移動可能としておく。この状態で、プッシュラッチ本体１内にフック部材１２を進入させてロックとロック解除が実際に可能なように、フック部材１２の上下位置を調整した後、取付ねじを完全に締め付けてフック部１０を完全に固定する。これにより、プッシュラッチ本体１の正面開口部２２の挿入高さ位置とフック部１０のフック部材１２の高さ位置が正確に合わせた状態で各部材が取着される。
【００３２】
図１、図１２に示すように、被取付面９０に取り付けられたプッシュラッチ本体１は、その前部が正面側に向いて取り付けられるが、その正面開口部２２から正面側には、フック受け部材７の係止爪部７３が僅かに覗くのみで、従来のプッシュラッチ装置のように大形の鋏状の保持アームが露出することはい。このため、プッシュラッチ本体１の外観が目立つことはなく、見栄えが悪くなることもない。
【００３３】
扉をキャビネットなどに対し閉じると、図１２、図１３に示すように、その被取付面９１に固定されたフック部１０のフック部材１２が、プッシュラッチ本体１の正面開口部２２に進入する。このとき、プッシュラッチ本体１では、フック受け部材７が本体ケース２内の最上部に位置し、その下側に空間が形成される。フック部材１２はフック受け部材７の係止爪部７３の下側の空間に進入し、フック受け部材７に当接してこれを奥（後方）に押し込む。
【００３４】
このとき、フック受け部材７は、その両側のガイドピン７１，７２とガイド溝３１，３２，４１，４２の作用により、後方に移動しながら本体ケース２内を下降し、これにより、図１２の中図に示すように、フック受け部材７の係止爪部７３の位置が下降する。また、同時に、フック部材１２が本体ケース２内を進入する間、蓋体５の押し上げ部５２により上方に押し上げられ、これによって、フック部材１２と係止爪部７３が係止され、ロックされる。
【００３５】
このとき、スライド部材６はフック受け部材７と共に後方に移動し、この際、図１４ａから図１４ｂに示すように環状ガイド溝６１が係合ピン８１に対して移動し、扉を閉じる際のプッシュ操作力を解除したとき、係合ピン８１は環状ガイド溝６１のロック保持部６１ｂに保持された状態となる。また上記のように、フック部材１２は図１２の如く下から押し上げ部５２によって押し上げられるから、フック受け部材７に対し確実に係止され、ロック状態が保持される。
【００３６】
このように、フック部材１２と係止爪部７３が係止されてロックされるとき、合成樹脂製の円板係合部材８が僅かに回動してその係合ピン８１が環状ガイド溝６１のロック保持部６１ｂに入るのみであるため、ロック動作はスムーズに行なわれ、しかも、従来のようなカチカチという異音は発生せず、静かにロック状態となる。
【００３７】
一方、上記の如く扉がロックされた状態で、ロックを外す場合、図１２，１３の下図のように扉をプッシュする。このとき、フック部材１２、フック受け部材７を介してスライド部材６が僅かに後方に移動し、これにより、環状ガイド溝６１が図１４ｂから図１４ｃに示すように、係合ピン８１に対して移動し、係合ピン８１がロック保持部６１ｂから脱出する。次にプッシュした扉からプッシュ操作力を解除したとき、ばね部材９のばね力によりスライド部材６がフック受け部材７と共に前方に移動し、このとき、係合ピン８１は環状ガイド溝６１を通り、図１４ａの開放保持部６１ａに入り、図１２の上図の状態となる。
【００３８】
つまり、フック受け部材７は、ガイドピン７１，７２とガイド溝３１，３２，４１，４２の作用により、前方に移動しながら本体ケース２内を上昇し、これにより、図１２の上図に示すように、フック部材１２と係止爪部７３の係合が外れ、フック部材１２が前方に押し出され、扉が開放される。この際も、合成樹脂製の円板係合部材８が僅かに回動して、その係合ピン８１が環状ガイド溝６１を通り、図１４ａの開放保持部６１ａに入るのみであるため、ロックの解除はスムーズに行なわれ、しかも、従来のようなカチカチといった異音は発生せず、静かにロックが解除される。
【００３９】
このように、上記構成のプッシュラッチ装置によれば、従来のプッシュラッチ装置のように、１対の保持アームを本体の正面に開くように突出させておく必要が無く、プッシュラッチ本体１内にフック受け部材７を待機させた状態で、フック部材１２を本体内に進入させてロックさせることができ、フック受け部材７を本体ケース２から殆ど突出せずにプッシュラッチ装置の見栄えを良くし、家具などの外観も良好に保持することができる。
【００４０】
また、ロックする際のプッシュ操作時、合成樹脂製の円板係合部材８の係合ピン８１がスライド部材６の環状ガイド溝６１のロック保持部６１ｂに保持されてスライド部材６及びフック受け部材７がロックされ、ロック解除する際のプッシュ操作時においても、円板係合部材８の係合ピン８１がスライド部材６の環状ガイド溝６１の開放保持部６１ａに保持されてフック受け部材７が開放されるから、ばね性金属線材からなるレバー部材の先端を、ばね弾性をもってハート形の溝内に係合させた従来のプッシュラッチ装置と比べ、プッシュ操作時のカチカチという異音を殆どなくすことができ、静かに違和感なく快適に使用することができる。
【００４１】
なお、上記実施形態では、フック部材１２の先端部近傍の上面に係止凹部１２ａを設け、フック受け部材７にはその係止爪部７３を下向きに形成し、その下側の空間にフック部材１２を進入させてそれを係止しロックしたが、フック部材を進入させてロックする空間は、フック受け部材の上側、左側、或いは右側に設けることもでき、その場合、係止爪部はその対応した側に形成し、フック部材の係止凹部はフック受け部材の側に設けるようにすればよい。
【００４２】
また、上記実施形態では、本体ケース２内に別部材としてのガイド溝部材３，４を組み付けたが、本体ケースの内壁に、ガイド溝を形成することもできる。また、上記実施形態では、本体ケース２の蓋体５の内側に、押し上げ部５２と円板係合部材８用の円形凹部を設けたが、これらは本体ケースの内側に設けることもできる。
【図面の簡単な説明】
【００４３】
【図１】本発明の一実施形態を示すプッシュラッチ装置の斜視図である。
【図２】同プッシュラッチ装置の分解側面図である。
【図３】同プッシュラッチ装置の分解平面図である。
【図４】プッシュラッチ本体の本体ケースの平面図（ａ）と右側面図（ｂ）である。
【図５】ガイド溝部材３の平面図（ａ）と右側面図（ｂ）及びガイド溝部材４の平面図（ｃ）と右側面図（ｄ）である。
【図６】蓋体の平面図（ａ）と右側面図（ｂ）と正面図（ｃ）である。
【図７】円板係合部材の平面図（ａ）と右側面図（ｂ）である。
【図８】スライド部材の平面図（ａ）と右側面図（ｂ）と底面図（ｃ）である。
【図９】フック受け部材の平面図（ａ）と右側面図（ｂ）と正面図（ｃ）である。
【図１０】フック部の正面図（ａ）とフック部の分解左側面図（ｂ）と分解平面図（ｃ）である。
【図１１】フック部１０の使用時の断面図である。
【図１２】プッシュラッチ装置の使用状態を示す縦断面説明図である。
【図１３】プッシュラッチ装置の使用状態を示す水平断面説明図である。
【図１４】環状ガイド溝６１と係合ピン８１との係合状態を示す動作説明図である。
【符号の説明】
【００４４】
１      プッシュラッチ本体
２      本体ケース
３      ガイド溝部材
４      ガイド溝部材
５      蓋体
６      スライド部材
７      フック受け部材
８      円板係合部材
１０    フック部
１２    フック部材
２１    取付部
２２    正面開口部
３１    ガイド溝
４１    ガイド溝
５１    円形凹部
６１    環状ガイド溝
６１ａ  開放保持部
６１ｂ  ロック保持部
７１    ガイドピン
７３    係止爪部
７４    嵌合部
８１    係合ピン
８２    軸
【図１】
2008261131.tif 000003
【図２】
2008261131.tif 000004
【図３】
2008261131.tif 000005
【図４】
2008261131.tif 000006
【図５】
2008261131.tif 000007
【図６】
2008261131.tif 000008
【図７】
2008261131.tif 000009
【図８】
2008261131.tif 000010
【図９】
2008261131.tif 000011
【図１０】
2008261131.tif 000012
【図１１】
2008261131.tif 000013
【図１２】
2008261131.tif 000014
【図１３】
2008261131.tif 000015
【図１４】
2008261131.tif 000016